(57)【要約】【課題】床面にコーティングされた皮膜を除去する床面皮膜除去ブラシおよび床面皮膜除去方法であって、通常の剥離剤では除去が困難な高密度で硬度が高い皮膜であっても適切に除去することができる床面皮膜除去ブラシおよび床面皮膜除去方法を提供する。【解決手段】回転式床面洗浄機２に装着されて回転駆動される回転基部１０と、回転基部１０の下面に植毛された複数のブラシ毛材１１とを有し、ブラシ毛材１１は、可撓性を有する樹脂製の毛材本体１７の内部にダイヤモンド粒子１８が複数分散された構造であり、ブラシ毛材１１の先端面１１ａが回転式床面洗浄機２の重量によって床面Ｆに押し付けられた状態で回転基部１０が回転されることで、ブラシ毛材１１の先端面１１ａが床面Ｆに擦れて摩耗し、摩耗に伴ってブラシ毛材１１の先端面１１ａに露出するダイヤモンド粒子１８によって床面Ｆの皮膜を削って除去する。【選択図】図５
2017221240.tif 000002
【特許請求の範囲】
【請求項１】
床面にコーティングされた皮膜を除去する床面皮膜除去ブラシであって、
回転式床面洗浄機に装着されて回転駆動される回転基部と、該回転基部の下面に植毛された複数のブラシ毛材とを有し、該ブラシ毛材は、可撓性を有する樹脂製の毛材本体の内部にダイヤモンド粒子が複数分散された構造であり、
前記ブラシ毛材の先端面が前記回転式床面洗浄機の重量によって前記床面に押し付けられた状態で前記回転基部が回転されることで、前記ブラシ毛材の先端面が前記床面に擦れて摩耗し、摩耗に伴って前記ブラシ毛材の先端面に露出する前記ダイヤモンド粒子によって前記床面の皮膜を削って除去する、ことを特徴とする床面皮膜除去ブラシ。
【請求項２】
前記床面にコーティングされた皮膜が、紫外線硬化タイプの樹脂皮膜であり、この紫外線硬化タイプの樹脂皮膜を除去する、ことを特徴とする請求項１に記載の床面皮膜除去ブラシ。
【請求項３】
床面にコーティングされた皮膜を除去する床面皮膜除去方法であって、
回転式床面洗浄機によって回転駆動される部分に、下面に複数のブラシ毛材が植毛された回転基部を装着し、該回転基部のブラシ毛材は、可撓性を有する樹脂製の毛材本体の内部にダイヤモンド粒子が複数分散された構造であり、
前記ブラシ毛材の先端面を前記回転式床面洗浄機の重量によって前記床面に押し付けた状態で前記回転基部を回転することで、前記ブラシ毛材の先端面が前記床面に擦れて摩耗し、前記ブラシ毛材の先端面に露出する前記ダイヤモンド粒子によって前記床面の皮膜を削って除去する、ことを特徴とする床面皮膜除去方法。
【請求項４】
前記回転基部から前記ブラシ毛材に水を供給するようにした、ことを特徴とする請求項３に記載の床面皮膜除去方法。
【請求項５】
前記床面にコーティングされた皮膜が、紫外線硬化タイプの樹脂皮膜であり、この紫外線硬化タイプの樹脂皮膜を除去する、ことを特徴とする請求項３または４に記載の床面皮膜除去方法。
【発明の詳細な説明】
【技術分野】
【０００１】
本発明は、床面にコーティングされた皮膜を除去するための床面皮膜除去ブラシおよび床面皮膜除去方法に係り、特に、通常の剥離剤では除去が困難な皮膜であっても適切に除去することができる床面皮膜除去ブラシおよび床面皮膜除去方法に関する。
【背景技術】
【０００２】
Ｐタイル等の床面にコーティングされた樹脂ワックス等の皮膜は、一定期間が経過すると劣化するため、回転式床面洗浄機（ポリッシャー）によって除去され、再びコーティングされる。
【０００３】
除去する際には、例えば、特許文献１に記載されているように、先ず、床面の樹脂皮膜に、水で希釈した強アルカリ等の剥離剤を塗布し、化学的に皮膜を溶解させる。その後、ポリッシャーに装着されたパッドやブラシを床面の皮膜に押し付けた状態で回転させ、溶解した皮膜をパッドやブラシで擦ることで除去する。
【０００４】
このように、床面にコーティングされた樹脂ワックス等の皮膜に対しては、一般的な通常の剥離剤によって化学的に反応させて溶解させ、ポリッシャーのパッドやブラシによって適切に除去することができる。
【先行技術文献】
【特許文献】
【０００５】
【特許文献１】特開２００８−１９４１２２号公報
【発明の概要】
【発明が解決しようとする課題】
【０００６】
ところで、近年、床面に一般的な樹脂ワックスではなく、紫外線硬化タイプの樹脂をコーティングする施工がなされている。この施工は、床面に紫外線硬化タイプの樹脂を塗布した後、紫外線を照射することで樹脂を数秒で硬化させ、床面に紫外線硬化樹脂の皮膜を形成する。かかる紫外線硬化樹脂の皮膜は、通常の樹脂ワックス皮膜に比べて高密度で硬度が高く、劣化し難いため、一旦、施工された後は、原則として剥離が不要である。
【０００７】
しかし、施工ミスによって、床面の不必要な部分（コーティング不要部分）にまで紫外線硬化樹脂の皮膜を形成してしまったり、施工不良や重ね塗りによって、紫外線硬化樹脂の皮膜に凹凸（うねり）が生じてしまうこともある。また、床面に繰り返し衝撃が加わる等の過酷な使用状況の場合には、紫外線硬化樹脂の皮膜であっても、劣化が免れない。これらの場合、一旦、コーティングした紫外線硬化樹脂の皮膜を、除去する必要がある。
【０００８】
ここで、紫外線硬化樹脂の皮膜は、樹脂ワックスの皮膜に用いられる剥離剤では化学的に反応せず、専用の剥離剤も存在しない。加えて、上述のように、通常の樹脂ワックス皮膜と比べると、高密度で硬度が高い。このため、通常の剥離剤およびポリシャーを用いた施工では、床面にコーティングされた紫外線硬化樹脂の皮膜を除去するために膨大な時間が掛かってしまい、事実上剥離することが困難な状況となっていた。
【０００９】
以上の事情を考慮して創案された本発明の目的は、床面にコーティングされた皮膜を除去する床面皮膜除去ブラシおよび床面皮膜除去方法であって、通常の剥離剤では除去が困難な高密度で硬度が高い皮膜であっても適切に除去することができる床面皮膜除去ブラシおよび床面皮膜除去方法を提供することにある。
【課題を解決するための手段】
【００１０】
上記目的を達成すべく創案された本発明によれば、床面にコーティングされた皮膜を除去する床面皮膜除去ブラシであって、回転式床面洗浄機に装着されて回転駆動される回転基部と、回転基部の下面に植毛された複数のブラシ毛材とを有し、ブラシ毛材は、可撓性を有する樹脂製の毛材本体の内部にダイヤモンド粒子が複数分散された構造であり、ブラシ毛材の先端面が回転式床面洗浄機の重量によって床面に押し付けられた状態で回転基部が回転されることで、ブラシ毛材の先端面が床面に擦れて摩耗し、摩耗に伴ってブラシ毛材の先端面に露出するダイヤモンド粒子によって床面の皮膜を削って除去する、ことを特徴とする床面皮膜除去ブラシが提供される。
【００１１】
本発明に係る床面皮膜除去ブラシにおいては、床面にコーティングされた皮膜が、紫外線硬化タイプの樹脂皮膜であり、この紫外線硬化タイプの樹脂皮膜を除去する、ものであってもよい。
【００１２】
また、本発明によれば、床面にコーティングされた皮膜を除去する床面皮膜除去方法であって、回転式床面洗浄機によって回転駆動される部分に、下面に複数のブラシ毛材が植毛された回転基部を装着し、回転基部のブラシ毛材は、可撓性を有する樹脂製の毛材本体の内部にダイヤモンド粒子が複数分散された構造であり、ブラシ毛材の先端面を回転式床面洗浄機の重量によって床面に押し付けた状態で回転基部を回転することで、ブラシ毛材の先端面が床面に擦れて摩耗し、ブラシ毛材の先端面に露出するダイヤモンド粒子によって床面の皮膜を削って除去する、ことを特徴とする床面皮膜除去方法が提供される。
【００１３】
本発明に係る床面皮膜除去方法においては、回転基部からブラシ毛材に水を供給するようにしてもよい。
【００１４】
本発明に係る床面皮膜除去方法においては、床面にコーティングされた皮膜が、紫外線硬化タイプの樹脂皮膜であり、この紫外線硬化タイプの樹脂皮膜を除去する、ものであってもよい。
【発明の効果】
【００１５】
本発明に係る床面皮膜除去ブラシおよび床面皮膜除去方法によれば、ブラシ毛材が可撓性を有する樹脂製の毛材本体の内部にダイヤモンド粒子を複数分散した構造であり、かかるブラシ毛材の先端面を回転式床面洗浄機の重量により床面に押し付けた状態で回転することで、ブラシ毛材の先端面を床面に擦り付けて摩耗させ、摩耗に伴いブラシ毛材の先端面に露出するダイヤモンド粒子によって床面の皮膜を削って除去するので、通常の剥離剤では化学反応せず除去が困難な高密度で硬度が高い皮膜（例えば紫外線硬化タイプの樹脂皮膜）であっても、適切に除去することができる。
【図面の簡単な説明】
【００１６】
【図１】本発明の一実施形態に係る床面皮膜除去ブラシが装着された回転式床面洗浄機（ポリッシャー）の正面図である。
【図２】本実施形態に係る床面皮膜除去ブラシの説明図であり、（ａ）は側断面図、（ｂ）は底面図である。
【図３】本実施形態に係る床面皮膜除去ブラシのブラシ毛材を示す部分拡大図である。
【図４】本実施形態に係るブラシ毛材の植毛部分を示す説明図であり、（ａ）はブラシ毛材の植毛構造を示す断面図、（ｂ）はブラシ毛材が床面に押し付けられた様子を示す断面図である。
【図５】本実施形態に係るブラシ毛材の内部構造を表す説明図であり、（ａ）は側面図、（ｂ）は断面図である。
【発明を実施するための形態】
【００１７】
以下に添付図面を参照しながら、本発明の好適な実施形態について詳細に説明する。かかる実施形態に示す寸法、材料、その他具体的な数値等は、発明の理解を容易にするための例示に過ぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１８】
（回転式床面洗浄機）
図１に、本発明の一実施形態に係る床面皮膜除去ブラシ１が装着された回転式床面洗浄機（ポリッシャー）２の概要を示す。ポリッシャー２は、床面に載置される本体３と、本体３から上方に延出されたポール４と、ポール４の上部に設けられ作業員によって把持されるハンドル５とを備えている。
【００１９】
本体３の下面には、本実施形態に係る床面皮膜除去ブラシ１が装着されており、本体３内に設けられたモーター６によって回転駆動される。ポール４には、給水タンク７が取り付けられている。ハンドル５には、給水タンク７内の水を本体３から床面へ供給するための給水レバー８と、本体３内のモーター６を駆動するためのモーター駆動レバー９とが設けられている。
【００２０】
（床面の被膜）
上述したポリッシャー２に装着された床面皮膜除去ブラシ１は、床面にコーティングされた紫外線硬化タイプの樹脂皮膜を除去する。紫外線硬化タイプの樹脂としては、例えば、商品名、ＵＦＨコート（登録商標）、UltraCure、ウィナップが挙げられる。ＵＦＨコートは有機溶剤型、UltraCureは無溶剤型、ウィナップは水溶型であるが、何れも、一旦、床面に塗布された後に紫外線が照射されて硬化すると、通常の剥離剤およびポリシャーを用いた施工では除去が困難となる。本実施形態においては、ＵＦＨコートの樹脂被膜を除去する例を説明する。
【００２１】
ＵＦＨコートは、次のようにして床面にコーティングされる。先ず、床面（Ｐタイル等）に液体状のＵＦＨコートの樹脂（コーティング剤）を専用モップで塗布する。次に、コーティング剤のアルコール成分が蒸発したことを確認した後、床面上のコーティング剤にＵＦＨ専用照射機を用いて紫外線を照射する。これにより、コーティング剤が短時間（数秒）で硬化し、床面にＵＦＨコートの樹脂皮膜が形成される。
【００２２】
こうして床面に形成されたＵＦＨコートの皮膜は、通常の樹脂ワックス皮膜に比べて高密度で硬度が高く、通常の剥離剤およびポリシャーを用いた施工では、除去するために膨大な時間が掛かってしまい、除去が困難である。しかし、以下に説明する本実施形態に係る床面皮膜除去ブラシ１を用いることで、適切に除去できる。
【００２３】
（床面皮膜除去ブラシ１）
図２（ａ）に示すように、本実施形態に係る床面皮膜除去ブラシ１は、ポリッシャー２に装着されて回転駆動される回転基部１０と、回転基部１０の下面に植毛された複数のブラシ毛材１１とを有する。回転基部１０は、円板１０ａからなり、例えばポリプロピレンやポリアミド等の樹脂または木材等から成形されている。回転基部１０の上面には、ポリッシャー２の回転駆動部に取り付けられる取付部１０ｂが設けられている。
【００２４】
（ブラシ毛材１１）
図２（ａ）に示すように、回転基部１０の下面には、ブラシ毛材１１が植毛されている。ブラシ毛材１１の先端面１１ａは、ポリッシャー２の重量（例えば４０ｋｇ）によって床面に押し付けられ、その状態で回転基部１０が回転されることで、床面を擦る。ブラシ毛材１１は、回転基部１０の下面の外周部に、周方向に沿って環状に１列または複数列（本実施形態では３列）植毛されている。
【００２５】
図２（ｂ）に示すように、ブラシ毛材１１は、所定本数（例えば８本〜１０本）に束ねられた毛束１４として、回転基部１０の下面の外周部に植毛されている。本実施形態においては、ブラシ毛材１１の毛束１４は、環状に３列配置となっているが、上述のように、１列、２列または４列以上の配置であってもよい。ブラシ毛材１１を回転基部１０の下面の外周部に植毛することで、回転基部１０が一回転する際に毛材１１が床面を擦る周長が長くなり、毛材１１の周速度を可及的に高められる。
【００２６】
図３に回転基部１０およびその下面に植毛されたブラシ毛材１１の部分拡大図を示し、図４（ａ）にブラシ毛材１１の植毛構造を示す。ブラシ毛材１１は、図４（ａ）に示すように、１本のブラシ毛材１１を略中央で１８０度折り返し、その折返し部を回転基部１０の下面に形成された凹部１５に差し入れ、接着剤１６によって固定することで、２本が一組となって植毛されている。例えば、図２（ｂ）に示すブラシ毛材１１の毛束１４が１０本の場合、２本一組のブラシ毛材１１が５組で一つの毛束１４を構成する。
【００２７】
（ブラシ毛材１１の構造）
図５に示すように、ブラシ毛材１１は、断面円形の形状であり、可撓性を有する樹脂製（例えばナイロン製）の毛材本体１７の内部にダイヤモンド粒子１８が複数分散された構造となっている。ダイヤモンド粒子１８は角張った形状が好ましい。ブラシ毛材１１の剛性および本数は、ポリッシャー２の重量（例えば４０ｋｇ）をブラシ毛材１１の先端面１１ａで床面Ｆに支持できるように設定されており、ブラシ毛材１１がポリッシャー２の重量によって倒れてブラシ毛材１１の中間部（先端面１１ａ以外の部分）が床面Ｆに接することがないようになっている。
【００２８】
かかるブラシ毛材１１は、その先端面１１ａがポリッシャー２の重量によって床面Ｆに押し付けられた状態で回転基部１０が回転されることで、ブラシ毛材１１の先端面１１ａが床面Ｆに擦れて摩耗し、摩耗に伴ってブラシ毛材１１の先端面１１ａに露出するダイヤモンド粒子１８によって、床面ＦのＵＦＨコート皮膜（紫外線硬化樹脂皮膜）を削って除去する。
【００２９】
（床面皮膜除去方法）
上述したブラシ毛材１１を有する床面被膜除去ブラシ１は、ポリッシャー２に装着され、回転駆動される。すなわち、ブラシ毛材１１の先端面１１ａをポリッシャー２の重量（例えば４０ｋｇ）によって床面Ｆに押し付けた状態で回転基部１０を回転する。これにより、ブラシ毛材１１の先端面１１ａが床面Ｆに擦れて摩耗し、ブラシ毛材１１の先端面１１ａに露出するダイヤモンド粒子１８によって床面ＦのＵＦＨコート皮膜（紫外線硬化樹脂皮膜）を削って除去する。この際、回転基部１０からブラシ毛材１１に水を供給する。水は、回転基部１０を回転する前に供給してもよく、回転中に供給してもよい。
【００３０】
（作用・効果）
図５に示すように、本実施形態に係る床面皮膜除去ブラシ１においては、ブラシ毛材１１が可撓性を有するナイロン製の毛材本体１７の内部にダイヤモンド粒子１８を複数分散した構造であり、かかるブラシ毛材１１の先端面１１ａをポリッシャー２の重量（例えば４０ｋｇ）により床面Ｆに押し付けた状態で回転基部１０を回転することで、ブラシ毛材１１の先端面１１ａを床面Ｆに擦り付けて摩耗させ、摩耗に伴いブラシ毛材１１の先端面１１ａに露出するダイヤモンド粒子１８によって床面ＦのＵＦＨコート皮膜を削って除去している。
【００３１】
すなわち、ポリッシャー２の重量（例えば４０ｋｇ）によってブラシ毛材１１の可撓性を有する毛材本体１７が撓むことで、ブラシ毛材１１の先端面１１ａに露出したダイヤモンド粒子１８が床面Ｆに弾性的に押し付けられ、その状態で回転基部１０を回転させることで、床面Ｆに弾性的に押し付けられたダイヤモンド粒子１８によってＵＦＨコート皮膜を削っている。この結果、通常の剥離剤では化学反応せず除去が困難な高密度で硬度が高いＵＦＨコート皮膜（紫外線硬化樹脂皮膜）であっても、適切に除去することができる。
【００３２】
先端面１１ａのダイヤモンド粒子１８は、或る程度の時間（または面積）床面ＦのＵＦＨコート皮膜を切削すると、切削能力（切れ味）が低下する。ここで、回転基部１０の回転に伴って、ダイヤモンド粒子１８を先端面１１ａに保持している先端面１１ａの毛材本体１７（樹脂製）が床面Ｆとの摩擦によって摩耗するため、切れ味が低下したダイヤモンド粒子１８が先端面１１ａから脱落し、内部の新たなダイヤモンド粒子１８が順番に先端面１１ａの露出することになる。このように、実質的な切削刃として機能する先端面１１ａのダイヤモンド粒子１８が自動的に更新されるため、施工中、安定した切削能力を継続できる。なお、図５は、ダイヤモンド粒子１８を分かり易く説明するために描いた模式図であり、実際には図５の表示よりもダイヤモンド粒子１８の大きさが小さく密度が高い。
【００３３】
ＵＦＨコート皮膜を削るダイヤモンド粒子１８は、可撓性を有する毛材本体１７の先端面１１ａに保持されているので、床面Ｆに或る程度の凹凸や不陸が存在する場合であっても、床面Ｆの凹凸や不陸に応じて毛材本体１７が適宜撓むことで、床面Ｆの凹凸や不陸にしなやかに追従する。よって、凹凸や不陸が存在する床面Ｆにおいても対応でき、バランスよく削ることができる。
【００３４】
また、ブラシ毛材１１は、毛材本体１７が可撓性を有しているので、回転基部１０の回転に伴って先端面１１ａが床面Ｆとの摩擦によって回転方向後方に引っ張られ、回転方向後方に斜めに傾斜する。このため、ブラシ毛材１１の先端面１１ａが、斜めの角度に応じて楕円形状に摩耗し、その楕円形状の先端面１１ａから露出するダイヤモンド粒子１８の数が、ブラシ毛材１１が断面円形に摩耗した場合よりも増える。よって、切削能力が向上し、ＵＦＨコート皮膜を床面Ｆから除去するための施工時間を短縮できる。
【００３５】
ＵＦＨコート皮膜を床面Ｆから除去する作業において、作業者は、図１に示すレバー８を操作し、給水タンク７内の水をブラシ毛材１１に供給する。水は、回転基部１０を回転する前に供給してもよく、回転中に供給してもよい。供給された水は、床面Ｆに広がり、床面ＦのＵＦＨコート皮膜を削ったことで生じる粉塵の飛散を防止すると共に、ブラシ毛材１１の温度上昇（床面Ｆとの摩擦による温度上昇）を抑えて毛材１１の劣化を抑制する。
【００３６】
すなわち、ブラシ毛材１１は、毛材本体１７が可撓性を有する樹脂製（例えばナイロン）であるので、先端面１１ａが床面Ｆに擦り付けられて摩耗する状態が継続すると、摩擦熱によって溶けた状態となってしまう。水を供給することで、ブラシ毛材１１を冷却し、摩擦によるブラシ毛材１１の熱劣化を抑えることができ、同時に、ＵＦＨコート皮膜を削ったことで生じる粉塵が作業現場（例えばコンビニエンスストア等）に飛散することを防止できる。
【００３７】
以上、添付図面を参照しつつ本発明の好適な実施形態について説明したが、本発明は上述した各実施形態に限定されないことは勿論であり、特許請求の範囲に記載された範疇における各種の変更例又は修正例についても、本発明の技術的範囲に属することは言うまでもない。
【産業上の利用可能性】
【００３８】
本発明は、床面にコーティングされた皮膜を除去するための床面皮膜除去ブラシおよび床面皮膜除去方法に利用できる。
【符号の説明】
【００３９】
１  床面皮膜除去ブラシ
２  回転式床面洗浄機（ポリッシャー）
１０  回転基部  
１１  ブラシ毛材
１１ａ  先端面
１７  毛材本体
１８  ダイヤモンド粒子
Ｆ  床面
【図１】
2017221240.tif 000003
【図２】
2017221240.tif 000004
【図３】
2017221240.tif 000005
【図４】
2017221240.tif 000006
【図５】
2017221240.tif 000007